(57)【要約】【課題】変倍比の確保と明るさの確保の両立に有利な小型なズームレンズ及びそれを有するズームレンズ装置を提供すること。【解決手段】物体側から像側に順に、正屈折力の第１レンズ群と、負屈折力の第２レンズ群と、正屈折力の第３レンズ群と、第４レンズ群と、を有し、広角端に対して望遠端にて、第１レンズ群と第２レンズ群との間の間隔は広がり、第２レンズ群と第３レンズ群との間の間隔は狭まり、広角端から望遠端への変倍に際し、第３レンズ群と第４レンズ群との間の間隔は変化し、以下の条件式（１）、（２）を満たすことを特徴とする。    １．１＜｜ｆ2｜／ｆ3＜１．８      ・・・（１）    −０．５＜ΔＧ1／ΔＧ2＜０．５    ・・・（２）【選択図】図１
2015118127.tif 000002
【特許請求の範囲】
【請求項１】
物体側から像側に順に、
正屈折力の第１レンズ群と、負屈折力の第２レンズ群と、正屈折力の第３レンズ群と、第４レンズ群と、を有し、
広角端に対して望遠端にて、
前記第１レンズ群と前記第２レンズ群との間の間隔は広がり、前記第２レンズ群と前記第３レンズ群との間の間隔は狭まり、
広角端から望遠端への変倍に際し、
前記第３レンズ群と前記第４レンズ群との間の間隔は変化し、
以下の条件式（１）、（２）を満たすことを特徴とするズームレンズ。
１．１＜｜ｆ2｜／ｆ3＜１．８      ・・・（１）
−０．５＜ΔＧ1／ΔＧ2＜０．５    ・・・（２）
但し、
ｆ2は前記第２レンズ群の焦点距離、ｆ3は前記第３レンズ群の焦点距離、
ΔＧ1は前記第１レンズ群の広角端と望遠端での位置の差であり、
広角端に対して望遠端にて物体側に位置する場合は正符号、像側に位置する場合は負符号とし、
ΔＧ2は広角端から望遠端への変倍の際の前記第２レンズ群の最大移動量の絶対値、
である。
【請求項２】
物体側から像側に順に、
正屈折力の第１レンズ群と、負屈折力の第２レンズ群と、正屈折力の第３レンズ群と、第４レンズ群と、を有し、
広角端に対して望遠端にて、
前記第１レンズ群と前記第２レンズ群との間の間隔は広がり、前記第２レンズ群と前記第３レンズ群との間の間隔は狭まり、
広角端から望遠端への変倍に際し、
前記第３レンズ群と前記第４レンズ群との間の間隔は変化し、
以下の条件式（１）、（３）を満たすことを特徴とするズームレンズ。
１．１＜｜ｆ2｜／ｆ3＜１．８        ・・・（１）
０．８＜ΔＧ2／ｆ3＜２．８          ・・・（３）
但し、
ｆ2は前記第２レンズ群の焦点距離、ｆ3は前記第３レンズ群の焦点距離、
ΔＧ2は広角端から望遠端への変倍の際の前記第２レンズ群の最大移動量の絶対値、
である。
【請求項３】
物体側から像側に順に、
正屈折力の第１レンズ群と、負屈折力の第２レンズ群と、正屈折力の第３レンズ群と、第４レンズ群と、を有し、
広角端に対して望遠端にて、
前記第１レンズ群と前記第２レンズ群との間の間隔は広がり、前記第２レンズ群と前記第３レンズ群との間の間隔は狭まり、
広角端から望遠端への変倍に際し、
前記第１レンズ群は静止し、且つ、前記第３レンズ群と前記第４レンズ群との間の間隔は変化し、以下の条件式（１）を満たすことを特徴とするズームレンズ。
１．１＜｜ｆ2｜／ｆ3＜１．８        ・・・（１）
但し、
ｆ2は前記第２レンズ群の焦点距離、ｆ3は前記第３レンズ群の焦点距離、
である。
【請求項４】
物体側から像側に順に、
正屈折力の第１レンズ群と、負屈折力の第２レンズ群と、正屈折力の第３レンズ群と、負屈折力の第４レンズ群と、を有し、
広角端に対して望遠端にて、
前記第１レンズ群と前記第２レンズ群との間の間隔は広がり、前記第２レンズ群と前記第３レンズ群との間の間隔は狭まり、
広角端から望遠端への変倍に際し、
前記第３レンズ群と前記第４レンズ群との間の間隔は変化し、
前記第２レンズ群は、前記第２レンズ群中で最も物体側に配置されたレンズである正レンズを有することを特徴とするズームレンズ。
【請求項５】
前記第４レンズ群は負屈折力を有することを特徴とする請求項１から４の何れか１項に記載するズームレンズ。
【請求項６】
物体側から像側に順に、
正屈折力の第１レンズ群と、負屈折力の第２レンズ群と、正屈折力の第３レンズ群と、負屈折力の第４レンズ群と、負屈折力の第５レンズ群と、正屈折力の第６レンズ群と、を有し、
広角端に対して望遠端にて、
前記第１レンズ群と前記第２レンズ群との間の間隔は広がり、前記第２レンズ群と前記第３レンズ群との間の間隔は狭まり、
広角端から望遠端への変倍に際し、
前記第３レンズ群と前記第４レンズ群との間の間隔は変化し、前記第４レンズ群と前記第５レンズ群との間の間隔は変化し、前記第５レンズ群と前記第６レンズ群との間の間隔は変化し、以下の条件式（１）を満たすことを特徴とするズームレンズ。
１．１＜｜ｆ2｜／ｆ3＜１．８        ・・・（１）
ｆ2は前記第２レンズ群の焦点距離、ｆ3は前記第３レンズ群の焦点距離、
である。
【請求項７】
広角端から望遠端への変倍に際し、
前記第３レンズ群は静止することを特徴とする請求項１から６の何れか１項に記載のズームレンズ。
【請求項８】
前記ズームレンズは、前記第４レンズ群よりも像側に配置され、且つ、広角端から望遠端への変倍に際し静止する正屈折力の最像側レンズ群を有することを特徴とする請求項１から７の何れか１項に記載のズームレンズ。
【請求項９】
前記第４レンズ群は、無限遠物点から近距離物点への合焦の際に移動する合焦レンズ群であることを特徴とする請求項１から８の何れか１項に記載のズームレンズ。
【請求項１０】
前記第４レンズ群と前記第５レンズ群は、無限遠物点から近距離物点への合焦の際に、異なる移動量にて移動することを特徴とする請求項９に記載のズームレンズ。
【請求項１１】
前記第１レンズ群は、物体側から像側に順に、負メニスカスレンズと両凸正レンズとの接合レンズと、物体側に凸面を向けた正メニスカスレンズと、からなり、
以下の条件式（４）を満たすことを特徴とする請求項１から１０の何れか１項に記載のズームレンズ。
７０＜ν1p＜１００      ・・・（４）
但し、
ν1pは、前記第１レンズ群に含まれる正レンズのｄ線におけるアッベ数の平均値である。
【請求項１２】
前記第２レンズ群は、物体側から像側に順に、正レンズと、接合負レンズと、負レンズと、からなり、
前記接合負レンズは、両凹負レンズと正メニスカスレンズとが接合されていることを特徴とする請求項１から１１の何れか１項に記載のズームレンズ。
【請求項１３】
前記第２レンズ群が以下の条件式（５）、（６）を満たすことを特徴とする請求項１２に記載のズームレンズ。
０．９＜（ｒ1＋ｒ2）／（ｒ1−ｒ2）＜２.２      ・・・（５）
１８＜ν2p＜２８                              ・・・（６）
但し、
ｒ1、ｒ2は、それぞれ前記第２レンズ群の最も物体側に配置された前記正レンズの物体側曲率半径と像側曲率半径、
ν2pは、前記第２レンズ群に含まれる正レンズのｄ線におけるアッベ数の平均値、
である。
【請求項１４】
前記第３レンズ群は、物体側から像側に順に、開口絞りと、両凸正レンズと、負メニスカスレンズと両凸正レンズの接合正レンズと、両凸正レンズ、あるいは両凸正レンズと負メニスカスレンズの接合正レンズからなることを特徴とする請求項１から１３の何れか１項に記載のズームレンズ。
【請求項１５】
前記第３レンズ群は、物体側から像側に順に、開口絞りと、第１正レンズ成分と、第２レンズ成分と、第３レンズ成分と、からなることを特徴とする請求項１から１４の何れか１項に記載のズームレンズ。
ここで、レンズ成分とは、正規光路にて空気と接する屈折面が物体側面と像側面の２つのみのレンズを意味し、単レンズ、又は接合レンズを意味する。
【請求項１６】
前記第３レンズ群中の前記第１正レンズ成分は非球面レンズ面を有することを特徴とする請求項１５に記載のズームレンズ。
【請求項１７】
前記第１正レンズ成分と前記第２正レンズ成分は、前記第３レンズ群中の軸上空気間隔の中で最も大きい空気間隔を挟んで配置され、
以下の条件式（７）、（８）、（９）、（１０）の何れかを満たすことを特徴とする請求項１５または１６に記載のズームレンズ。
６５＜ν3p＜１００                  ・・・（７）
０．５＜ｆ3F／ｆ3R＜２．０          ・・・（８）
０．１＜ｄ（Ａ）／ｆ3＜０．５      ・・・（９）
１．４５＜ｎ3p＜１．６５            ・・・（１０）
但し、
ν3pは、前記第３レンズ群中に含まれる正レンズのｄ線におけるアッベ数の平均値、
ｆ3Fは、前記第３レンズ群中に含まれる前記第１正レンズ成分の焦点距離、
ｆ3Rは、前記第２正レンズ成分と前記第３正レンズ成分との合成焦点距離、
ｄ（Ａ）は、前記第１正レンズ成分と前記第２正レンズ成分との間の間隔、
ｆ3は、前記第３レンズ群の焦点距離、  
ｎ3pは、前記第３レンズ群に含まれる正レンズのｄ線における屈折率の平均値、
である。
【請求項１８】
前記第４レンズ群は、正レンズと両凹負レンズとの接合負レンズからなり、
以下の条件式（１１）、（１２）を満たすことを特徴とする請求項１から１７の何れか１項に記載のズームレンズ。
１．８０＜ｎ4p＜２．００        ・・・（１１）
１５＜Δν4＜４０              ・・・（１２）
但し、
ｎ4pは、前記第４レンズ群に含まれる正レンズのｄ線における屈折率、
Δν4は、前記第４レンズ群における正レンズと負レンズのｄ線におけるアッベ数の差、
である。
【請求項１９】
前記第４レンズ群と前記第５レンズ群が以下の条件式（１３）を満足することを特徴とする請求項１０に記載のズームレンズ。
０．２＜｜ΔＧ5(W)／ΔＧ4(W)｜＜３．０      ・・・（１３）
但し、
ΔＧ4(W)は、広角端において無限遠物点から近距離物点へ合焦する時の、前記第４レンズ群の移動量、
ΔＧ5(W)は、広角端において無限遠物点から近距離物点へ合焦する時の、前記第５レンズ群の移動量、
である。
【請求項２０】
請求項１から１９の少なくとも何れか１項に記載のズームレンズと、
カメラ本体に前記ズームレンズを接続可能とするマウント部を有することを特徴とするズームレンズ装置。
【発明の詳細な説明】
【技術分野】
【０００１】
本発明は、ズームレンズ及びそれを有するズームレンズ装置に関するものである。
【背景技術】
【０００２】
従来、Ｆ２．８クラスの大口径望遠ズームとして、例えば、特許文献１あるいは特許文献２にて示されるようなズームレンズが提案されている。特許文献１のズームレンズは、物体側からの屈折力配置が正・負・正・正の４群タイプのズームレンズである。変倍時に、第２レンズ群と第３レンズ群とが移動する。また、フォーカシングは、第１レンズ群を前群と後群に分け、該後群を移動させている。
【０００３】
このような構成により、特許文献１のズームレンズでは、交換レンズ用途で、変倍時、焦点距離が５０ｍｍから１５０ｍｍまで変化し、Ｆナンバーが変倍域の全域において２．８程度になっている。
【０００４】
また、特許文献２のズームレンズは、物体側からの屈折力配置が正・負・正・負・正の５群タイプのズームレンズである。特許文献２のズームレンズでは、変倍時に、第２レンズ群から第４レンズ群が移動する。また、フォーカシング時に、第３レンズ群を移動させる。
【０００５】
このような構成により、特許文献２のズームレンズは、交換レンズ用途で、変倍時、焦点距離が７０ｍｍから２００ｍｍまで変化し、Ｆナンバーが変倍域の全域において２．８程度になっている。
【０００６】
いずれの構成も、変倍時の重量バランスが崩れないように、第１レンズ群を固定し、静止させている。また、フォーカシングについては、インナーフォーカス方式を採用している。インナーフォーカスにより、近距離物点への合焦を行っている。このような工夫を成す事で、操作性の向上を図っている。しかしながら、ズームレンズの小型化に関しては不十分である。
【０００７】
一方、特許文献３、特許文献４、特許文献５には、小型化された望遠ズームレンズが開示されている。特許文献３のズームレンズは、物体側からの屈折力配置が正・負・正・負・負・正の６群タイプのズームレンズである。特許文献３のズームレンズでは、変倍時に、第２レンズ群と、第４レンズ群と、第５レンズ群が移動する。そして、近距離物点への合焦は、第４レンズ群と第５レンズ群を独立に移動させている。
【０００８】
このような構成により、特許文献３のズームレンズは、交換レンズ用途で、変倍時、焦点距離が４５ｍｍから１７５ｍｍまで変化し、Ｆナンバーが変倍域において４〜５．６程度になっている。
【０００９】
特許文献４のズームレンズは、物体側からの屈折力配置が正・負・正・正・負の５群タイプのズームレンズである。特許文献４のズームレンズでは、変倍時に、第１レンズ群と第３レンズ群から第５レンズ群が移動する。
【００１０】
このような構成により、特許文献４のズームレンズは、交換レンズ用途で、変倍時、焦点距離が８０ｍｍ〜４００ｍｍまで変化し、Ｆナンバーが変倍域において４．５〜５．６程度になっている。
【００１１】
また、特許文献５のズームレンズは、物体側からの屈折力配置が正・負・正・負の４群タイプのズームレンズである。特許文献５のズームレンズでは、変倍時に、各レンズ群が移動する。
【００１２】
このような構成により、特許文献５のズームレンズでは、交換レンズ用途で、変倍時、焦点距離が４０ｍｍ〜１５０ｍｍまで変化し、Ｆナンバーが変倍域において４〜５．６程度になっている。さらに、特許文献５のズームレンズでは、異常分散性の高い樹脂材料を使用し、合焦レンズ群の軽量化と色収差の補正を図っている。
【００１３】
しかしながら、特許文献３、特許文献４、特許文献５のズームレンズは、いずれも望遠端のＦナンバーが５．６程度と大きく、暗いレンズである。
【００１４】
一方、特許文献６、特許文献７には、コンパクトカメラ用の高倍ズームが開示されている。特許文献６のズームレンズは、物体側からの屈折力配置が正・負・正・負・負・正の６群タイプのズームレンズである。特許文献６のズームレンズでは、変倍時に、各レンズ群が移動する。
【００１５】
このような構成により、特許文献６のズームレンズは、変倍時、焦点距離（焦点距離は規格化）が１ｍｍ〜２８ｍｍまで変化し、Ｆナンバーが変倍域において１．８〜３．６程度の高変倍ズームレンズである。
【００１６】
特許文献７のズームレンズは、物体側からの屈折力配置が正・負・正・負・正の５群タイプのズームレンズである。特許文献７のズームレンズでは、変倍時に、第２レンズ群と第４レンズ群が移動する。
【００１７】
このような構成により、特許文献７のズームレンズは、変倍時、焦点距離（焦点距離は規格化）が１ｍｍ〜２０ｍｍまで変化し、Ｆナンバーが変倍域において１．８〜３．６程度の高変倍ズームレンズである。
ここで、上述の特許文献に開示されたズームレンズは、そのまま交換レンズに適用する事はできない。
【先行技術文献】
【特許文献】
【００１８】
【特許文献１】特開２００７−２１２８３０号公報
【特許文献２】特開２０１０−１９１３３６号公報
【特許文献３】特開２０１２−４７８１４号公報
【特許文献４】特許５０６８２３８号公報
【特許文献５】特開２０１１−２３２６２４号公報
【特許文献６】特許４５６０７４５号公報
【特許文献７】特許３４６６７１１号公報
【発明の概要】
【発明が解決しようとする課題】
【００１９】
ズームレンズにおいては、変倍比の確保や、明るさの確保、小型化などの最適化が求められる。本発明は上述の課題に鑑みてなされたものであり、変倍比の確保と明るさの確保の両立に有利な小型のズームレンズ及びそれを有するズームレンズ装置を提供するものである。
特に、交換レンズ用途として使用でき、動画撮影にも好適な、大口径で高性能な望遠ズームレンズ及びそれを有するズームレンズ装置を提供するものである。
【課題を解決するための手段】
【００２０】
上述した課題を解決し、目的を達成するために、第１の側面における本発明のズームレンズは、物体側から像側に順に、正屈折力の第１レンズ群と、負屈折力の第２レンズ群と、正屈折力の第３レンズ群と、第４レンズ群と、を有し、広角端に対して望遠端にて、第１レンズ群と第２レンズ群との間の間隔は広がり、第２レンズ群と第３レンズ群との間の間隔は狭まり、広角端から望遠端への変倍に際し、第３レンズ群と第４レンズ群との間の間隔は変化し、以下の条件式（１）、（２）を満たすことを特徴としている。
１．１＜｜ｆ2｜／ｆ3＜１．８      ・・・（１）
−０．５＜ΔＧ1／ΔＧ2＜０．５    ・・・（２）
但し、
ｆ2は第２レンズ群の焦点距離、ｆ3は第３レンズ群の焦点距離、
ΔＧ1は第１レンズ群の広角端と望遠端での位置の差であり、
広角端に対して望遠端にて物体側に位置する場合は正符号、像側に位置する場合は負符号とし、
ΔＧ2は広角端から望遠端への変倍の際の第２レンズ群の最大移動量の絶対値、
である。
【００２１】
上述の課題を解決するための第２の側面における本発明のズームレンズは、物体側から像側に順に、正屈折力の第１レンズ群と、負屈折力の第２レンズ群と、正屈折力の第３レンズ群と、第４レンズ群と、を有し、広角端に対して望遠端にて、第１レンズ群と第２レンズ群との間の間隔は広がり、第２レンズ群と第３レンズ群との間の間隔は狭まり、
広角端から望遠端への変倍に際し、第３レンズ群と第４レンズ群との間の間隔は変化し、
以下の条件式（１）、（３）を満たすことを特徴としている。
１．１＜｜ｆ2｜／ｆ3＜１．８        ・・・（１）
０．８＜ΔＧ2／ｆ3＜２．８          ・・・（３）
但し、
ｆ2は第２レンズ群の焦点距離、ｆ3は第３レンズ群の焦点距離、
ΔＧ2は広角端から望遠端への変倍の際の第２レンズ群の最大移動量の絶対値、
である。
【００２２】
上述の課題を解決するための第３の側面における本発明のズームレンズは、物体側から像側に順に、正屈折力の第１レンズ群と、負屈折力の第２レンズ群と、正屈折力の第３レンズ群と、第４レンズ群と、を有し、広角端に対して望遠端にて、第１レンズ群と第２レンズ群との間の間隔は広がり、第２レンズ群と第３レンズ群との間の間隔は狭まり、
広角端から望遠端への変倍に際し、第１レンズ群は静止し、且つ、第３レンズ群と第４レンズ群との間の間隔は変化し、以下の条件式（１）を満たすことを特徴としている。
１．１＜｜ｆ2｜／ｆ3＜１．８        ・・・（１）
但し、
ｆ2は第２レンズ群の焦点距離、ｆ3は第３レンズ群の焦点距離、
である。
【００２３】
上述の課題を解決するための第４の側面における本発明のズームレンズは、物体側から像側に順に、正屈折力の第１レンズ群と、負屈折力の第２レンズ群と、正屈折力の第３レンズ群と、負屈折力の第４レンズ群と、を有し、広角端に対して望遠端にて、第１レンズ群と第２レンズ群との間の間隔は広がり、第２レンズ群と第３レンズ群との間の間隔は狭まり、広角端から望遠端への変倍に際し、第３レンズ群と第４レンズ群との間の間隔は変化し、第２レンズ群は、第２レンズ群中で最も物体側に配置されたレンズである正レンズを有することを特徴としている。
【００２４】
上述の課題を解決するための第５の側面における本発明のズームレンズは、物体側から像側に順に、正屈折力の第１レンズ群と、負屈折力の第２レンズ群と、正屈折力の第３レンズ群と、負屈折力の第４レンズ群と、負屈折力の第５レンズ群と、正屈折力の第６レンズ群をと、有し、広角端に対して望遠端にて、第１レンズ群と第２レンズ群との間の間隔は広がり、第２レンズ群と第３レンズ群との間の間隔は狭まり、広角端から望遠端への変倍に際し、第３レンズ群と第４レンズ群との間の間隔は変化し、第４レンズ群と第５レンズ群との間の間隔は変化し、第５レンズ群と第６レンズ群との間の間隔は変化し、以下の条件式（１）を満たすことを特徴としている。
１．１＜｜ｆ2｜／ｆ3＜１．８        ・・・（１）
ｆ2は第２レンズ群の焦点距離、ｆ3は第３レンズ群の焦点距離、
である。
【００２５】
上述の課題を解決するための本発明のズームレンズ装置は、上述のズームレンズと、カメラ本体にズームレンズを接続可能とするマウント部を有することを特徴としている。
【発明の効果】
【００２６】
本発明によれば、変倍比の確保と明るさの確保の両立に有利な小型のズームレンズ及びそれを有するズームレンズ装置を提供できる。特に、交換レンズ用途として使用でき、動画撮影にも好適な、大口径で高性能な望遠ズームレンズ及びそれを有するズームレンズ装置を提供できる。
【図面の簡単な説明】
【００２７】
【図１】本発明のズームレンズの実施例１の無限遠物点合焦時の広角端（ａ）と中間焦点距離状態（ｂ）と望遠端（ｃ）でのレンズ断面図、及び、広角端と中間焦点距離状態、中間焦点距離状態と望遠端の各レンズ群の変位方向を表す図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】（ａ）〜（ｉ）は、実施例１の無限遠距離合焦時の収差図である。
【図８】（ａ）〜（ｉ）は、実施例１の物像間距離が０．７ｍとなる至近距離合焦時の収差図である。
【図９】（ａ）〜（ｉ）は、実施例２の無限遠距離合焦時の収差図である。
【図１０】（ａ）〜（ｉ）は、実施例２の物像間距離が０．７ｍとなる至近距離合焦時の収差図である。
【図１１】（ａ）〜（ｉ）は、実施例３の無限遠距離合焦時の収差図である。
【図１２】（ａ）〜（ｉ）は、実施例３の物像間距離が０．７ｍとなる至近距離合焦時の収差図である。
【図１３】（ａ）〜（ｉ）は、実施例４の無限遠距離合焦時の収差図である。
【図１４】（ａ）〜（ｉ）は、実施例４の物像間距離が０．７ｍとなる至近距離合焦時の収差図である。
【図１５】（ａ）〜（ｉ）は、実施例５の無限遠距離合焦時の収差図である。
【図１６】（ａ）〜（ｉ）は、実施例５の物像間距離が０．７ｍとなる至近距離合焦時の収差図である。
【図１７】（ａ）〜（ｉ）は、実施例６の無限遠距離合焦時の収差図である。
【図１８】（ａ）〜（ｉ）は、実施例６の物像間距離が０．７ｍとなる至近距離合焦時の収差図である。
【図１９】本発明によるズームレンズを撮影光学系として用いたレンズ交換式カメラの断面図である。
【図２０】レンズ交換式カメラの概観を示す前方斜視図である。
【図２１】レンズ交換式カメラの後方斜視図である。
【図２２】レンズ交換式カメラの主要部の内部回路の構成ブロック図である。
【発明を実施するための形態】
【００２８】
本発明に係る第１実施形態のズームレンズは、物体側から像側に順に、正屈折力の第１レンズ群と、負屈折力の第２レンズ群と、正屈折力の第３レンズ群と、第４レンズ群と、を有し、広角端に対して望遠端にて、第１レンズ群と第２レンズ群との間の間隔は広がり、第２レンズ群と第３レンズ群との間の間隔は狭まり、広角端から望遠端への変倍に際し、第３レンズ群と第４レンズ群との間の間隔は変化し、以下の条件式（１）、（２）を満たすことを特徴とする。
１．１＜｜ｆ2｜／ｆ3＜１．８      ・・・（１）
−０．５＜ΔＧ1／ΔＧ2＜０．５    ・・・（２）
但し、
ｆ2は第２レンズ群の焦点距離、ｆ3は第３レンズ群の焦点距離、
ΔＧ1は第１レンズ群の広角端と望遠端での位置の差であり、
広角端に対して望遠端にて物体側に位置する場合は正符号、像側に位置する場合は負符号とし、
ΔＧ2は広角端から望遠端への変倍の際の第２レンズ群の最大移動量の絶対値、
である。
【００２９】
従来例で説明したように、物体側からの屈折力配置が正・負・正・正の構成で代表されるような大口径望遠ズームレンズは、第１レンズ群にて収斂された光束が第２レンズ群へ入射する。次に、第２レンズ群にて強く発散された光束が第３レンズ群へ入射する。そして、第３レンズ群および第４レンズ群を通りながら緩やかに収斂されて像面へ至る。
【００３０】
従って、第３レンズ群以降のレンズ群は、ほぼ同程度のレンズ径を有することになる。このため、レンズを支持する鏡枠部材や、駆動のためのカム部材あるいは絞り駆動用のモーターやレンズ駆動のモーター等の部材を配置すると、ズームレンズの中間部での鏡枠径が大きくなってしまう。
【００３１】
特に、Ｆナンバー２．８程度の望遠ズームレンズになると、大きな径を有する第１レンズ群よりも中間部の鏡枠径が大きくなる傾向にあった。
【００３２】
そこで、本実施形態では、物体側より順に、正屈折力の第１レンズ群、負屈折力の第２レンズ群、正屈折力の第３レンズ群、第４レンズ群を有し、第３レンズ群の正屈折力を比較的大きく設定することで、後続する第４レンズ群以降のレンズ径を小型化している。その結果、各種の部材を配置するスペースを確保し、鏡枠径の小型化を達成している。
【００３３】
一方、大口径望遠ズームレンズにおいては、第１レンズ群のレンズ径が非常に大きく、そのため第１レンズ群のレンズ重量も大きい。例えば、変倍中において第１レンズ群が可動であると、第１レンズ群の移動に伴って全体の重心位置が変化する。これにより、操作感が悪くなる。このような問題を解決するため、変倍中、第１レンズ群を固定もしくは少ない移動量とする事が望まれている。
【００３４】
この場合、殆どの変倍作用を第２レンズ群が負担する事になる。このため、第２レンズ群の移動量に関わるレンズ全長の小型化と変倍に伴う収差変動の抑制において、適切な屈折力配分が必要となる。
【００３５】
条件式（１）は、第２レンズ群と第３レンズ群の焦点距離比を規定している。
条件式（１）の上限値を上回ると、第２レンズ群の焦点距離が長くなる。これにより、変倍比を確保するための第２レンズ群の移動量が大きくなり、レンズ全長の悪化、即ちズームレンズ全長が長くなってしまう。
【００３６】
また、条件式（１）の上限値を上回って、第３レンズ群の焦点距離が短くなると、第３レンズ群で発生する収差の補正が困難となる。
【００３７】
条件式（１）の下限値を下回って、第２レンズ群の焦点距離が短くなると、小型化には有利であるが、第２レンズ群で発生する収差補正が困難となる。
また、条件式（１）の下限値を下回って、第３レンズ群の焦点距離が長くなると、第４レンズ群以降のレンズ径の小型化が困難となる。
【００３８】
次に、以下の条件式（２）について説明する。
−０．５＜ΔＧ1／ΔＧ2＜０．５    ・・・（２）
但し、
ΔＧ1は、第１レンズ群のズーム移動量（変倍時の移動量）であって、広角端の位置と望遠端の位置との差を表す。なお、物体側への移動を正（＋）値とする。
ΔＧ2は、第２レンズ群のズーム移動量であって、広角端、中間焦点距離状態、望遠端を比較して最大移動量の絶対値を表している。
【００３９】
条件式（２）は、第１レンズ群と第２レンズ群の移動量に関わる条件を規定する式である。上述したように、ユーザーの操作性を良好にするために、第１レンズ群のズーム移動量を小さくしている。
【００４０】
一方、変倍比を確保するために、主として変倍の役割を担う第２レンズ群のズーム移動量を大きくする事を表している。
【００４１】
条件式（２）の上限値を上回り、第１レンズ群の移動量が大きくなると、ズーム操作に伴う重心移動が大きくなり好ましくない。あるいは、条件式（２）の上限値を上回って、第２レンズ群の移動量が小さくなると、第２レンズ群の屈折力が大きくなるので、収差補正が困難となる。
【００４２】
条件式（２）の下限値を下回って、第１レンズ群が像側に移動すると、重心移動が大きくなるだけでなく、第２レンズ群の変倍作用に対し、減倍の作用を持つことになるので好ましくない。
【００４３】
第２実施形態のズームレンズは、物体側から像側に順に、正屈折力の第１レンズ群と、負屈折力の第２レンズ群と、正屈折力の第３レンズ群、第４レンズ群と、を有し、広角端に対して望遠端にて、第１レンズ群と第２レンズ群との間の間隔は広がり、第２レンズ群と第３レンズ群との間の間隔は狭まり、広角端から望遠端への変倍に際し、第３レンズ群と第４レンズ群との間の間隔は変化し、以下の条件式（１）、（３）を満たすことを特徴とする。
１．１＜｜ｆ2｜／ｆ3＜１．８        ・・・（１）
０．８＜ΔＧ2／ｆ3＜２．８          ・・・（３）
但し、
ｆ2は第２レンズ群の焦点距離、ｆ3は第３レンズ群の焦点距離、
ΔＧ2は広角端から望遠端への変倍の際の第２レンズ群の最大移動量の絶対値、
である。
【００４４】
本実施形態は、上記第１実施形態と基本的な構成は同じであるので、重複する説明は省略する。以下、同様に既に説明している構成、作用効果についての重複する記載は省略する。
【００４５】
本実施形態では、条件式（３）を満足している。
条件式（３）は、第２レンズ群のズーム移動量と第３レンズ群の焦点距離の比を規定している。ズームレンズの小型化と収差補正の両立を実現するために必要な第２レンズ群のズーム移動量と、第４レンズ群以降の小型化を実現するための第３レンズ群の焦点距離に関わる式である。
【００４６】
条件式（３）の上限値を上回って、第２レンズ群の移動量が大きくなると、全長の小型化に反する事になる。あるいは、条件式（３）の上限値を上回って、第３レンズ群の焦点距離が小さくなると収差補正が困難となる。
【００４７】
条件式（３）の下限値を下回って、第２レンズ群の移動量が小さくなると、全長の小型化には有利である。ここで、第２レンズ群の屈折力が大きくなり、収差補正が困難となる。あるいは、条件式（３）の下限値を下回って、第３レンズ群の焦点距離が長くなると、第４レンズ群以降の小型化が困難となる。
【００４８】
第３実施形態のズームレンズは、物体側から像側に順に、正屈折力の第１レンズ群と、負屈折力の第２レンズ群と、正屈折力の第３レンズ群と、第４レンズ群と、を有し、広角端に対して望遠端にて、第１レンズ群と第２レンズ群との間の間隔は広がり、第２レンズ群と第３レンズ群との間の間隔は狭まり、広角端から望遠端への変倍に際し、第１レンズ群は静止し、且つ、第３レンズ群と第４レンズ群との間の間隔は変化し、以下の条件式（１）を満たすことを特徴とする。
１．１＜｜ｆ2｜／ｆ3＜１．８        ・・・（１）
但し、
ｆ2は第２レンズ群の焦点距離、ｆ3は第３レンズ群の焦点距離、
である。
【００４９】
広角端から望遠端への変倍に際し、第１レンズ群は静止していることで、レンズ系内へのゴミの侵入低減や、レンズ群移動時の音漏れの抑制、レンズ系の変倍に伴う重量バランスの変動の低減に有利となる。
【００５０】
また、第４実施形態のズームレンズは、物体側から像側に順に、正屈折力の第１レンズ群と、負屈折力の第２レンズ群と、正屈折力の第３レンズ群と、負屈折力の第４レンズ群と、を有し、広角端に対して望遠端にて、第１レンズ群と第２レンズ群との間の間隔は広がり、第２レンズ群と第３レンズ群との間の間隔は狭まり、広角端から望遠端への変倍に際し、第３レンズ群と第４レンズ群との間の間隔は変化し、第２レンズ群は、第２レンズ群中で最も物体側に配置されたレンズである正レンズを有することを特徴とする。
【００５１】
このように、正屈折力の第１レンズ群、負屈折力の第２レンズ群、正屈折力の第３レンズ群、負屈折力の第４レンズ群を配置して、相互の間隔を変化させることで、全長の短縮化と変倍比の確保を行っている。
【００５２】
第２レンズ群の最も物体側に正レンズを配置しているので、入射光線が強い発散作用を受けるのは第２レンズ群の最も像側付近となる。そのため、第３レンズ群への入射光線高が比較的小さくなり、第３レンズ群の正屈折力の配置と相まって、第４レンズ群以降のレンズ径を小型化可能となる。
【００５３】
また、本発明の好ましい態様によれば、第４レンズ群は負屈折力を有することが望ましい。
【００５４】
このように、正屈折力の第１レンズ群、負屈折力の第２レンズ群、正屈折力の第３レンズ群、負屈折力の第４レンズ群を配置して、相互の間隔を変化させることで、全長の短縮化と変倍比の確保を行っている。
【００５５】
また、本発明の好ましい態様によれば、物体側から像側に順に、正屈折力の第１レンズ群と、負屈折力の第２レンズ群と、正屈折力の第３レンズ群と、負屈折力の第４レンズ群と、負屈折力の第５レンズ群と、正屈折力の第６レンズ群と、を有し、広角端に対して望遠端にて、第１レンズ群と第２レンズ群との間の間隔は広がり、第２レンズ群と第３レンズ群との間の間隔は狭まり、広角端から望遠端への変倍に際し、第３レンズ群と第４レンズ群との間の間隔は変化し、第４レンズ群と第５レンズ群との間の間隔は変化し、第５レンズ群と第６レンズ群との間の間隔は変化し、以下の条件式（１）を満たすことを特徴とする。
１．１＜｜ｆ2｜／ｆ3＜１．８        ・・・（１）
ｆ2は第２レンズ群の焦点距離、ｆ3は第３レンズ群の焦点距離、
である。
【００５６】
第６レンズ群は正の屈折力を持ち、射出瞳を像面から離す効果を持つ。撮像素子の
斜入射特性によるシェーディングの低減を行っている。
第４レンズ群と第６レンズ群との間に第５レンズ群を配置している。第５レンズ群は、変倍に伴う収差変動の抑制などを行っている。
【００５７】
また、本発明の好ましい態様によれば、広角端から望遠端への変倍に際し、第３レンズ群は静止することが望ましい。
【００５８】
これにより、変倍のために第３レンズ群を移動させる機構を不要にできるので、低コスト化に有利となる。ズームレンズ全体の小型化のためには第３レンズ群の正の屈折力を高めることが好ましい。その場合、第３レンズ群中のレンズ枚数の確保により収差低減を行うことが好ましい。一方、収差低減や明るさの十分な確保のためには第３レンズ群が大きく重くなりやすい。
第３レンズ群を静止することで、変倍のための機構を簡略化でき機構への負担を軽減できる。
【００５９】
また、本発明の好ましい態様によれば、ズームレンズは、第４レンズ群よりも像側に配置され、且つ、広角端から望遠端への変倍に際し静止する正屈折力の最像側レンズ群を有することが望ましい。
【００６０】
この構成にて、ズームレンズ系内へのゴミの侵入の低減、レンズ駆動時の音の漏洩の低減をしている。
【００６１】
また、本発明の好ましい態様によれば、第４レンズ群は、無限遠物点から近距離物点への合焦の際に移動する合焦レンズ群であることが望ましい。
【００６２】
第４レンズ群は、径方向を小さくしやすいレンズ群である。このレンズ群を合焦レンズ群としている。これにより、フォーカシング時の駆動負担（電力負担等）を低減している。
【００６３】
また、本発明の好ましい態様によれば、第４レンズ群と第５レンズ群は、無限遠物点から近距離物点への合焦の際に、異なる移動量にて移動することが望ましい。
【００６４】
第４レンズ群と第５レンズ群は、径方向を小さくしやすいレンズ群である。これらのレンズ群を合焦レンズ群としている。これにより、フォーカシング時の駆動負担（電力負担等）を低減している。また、複数のレンズ群をフォーカシング時に移動するレンズ群とする場合、遠距離と至近の双方の合焦時における収差の低減と最短撮影距離の短縮化も行える。
【００６５】
第１レンズ群は、物体側から像側に順に負メニスカスレンズと両凸正レンズの接合正レンズと、物体側に凸面を向けた正メニスカスレンズにて構成されることが望ましい。
【００６６】
望遠レンズの場合、軸上色収差が画質へ与える影響が非常に大きい。
ここで、第１レンズ群で発生した収差が第２レンズ群以降の倍率によって像面での収差に拡大寄与される。従って、基本的に第１レンズ群で発生する軸上色収差を十分に補正しておく必要がある。そこで、条件式（４）を満たす事が望ましい。
【００６７】
７０＜ν1p＜１００      ・・・（４）
但し、
ν1pは、第１レンズ群に含まれる正レンズのｄ線におけるアッベ数の平均値である。
【００６８】
条件式（４）の上値限を上回ると、実用的な硝材が無くなる。条件式（４）の下値限を下回ると、第１レンズ群で発生している軸上色収差が大きく、十分な画質を維持できない。
【００６９】
また、本発明の好ましい態様によれば、第２レンズ群は、物体側から像側に順に、正レンズと、接合負レンズと、負レンズと、からなり、接合負レンズは、両凹負レンズと正メニスカスレンズとが接合されていることが望ましい。
【００７０】
一般に、正屈折力の第１レンズ群を有するタイプのズームレンズでは、第１レンズ群にて収斂された光束を、負屈折力の第２レンズ群で発散し、正屈折力の第３レンズ群で再び収斂した後、後続するレンズ群へ導かれる。
【００７１】
この時、従来から知られているように、第２レンズ群の最も物体側に負レンズを配置されたレンズ構成では、第１レンズ群からの光束が第２レンズ群に入射後、光線高の高い位置で直ぐに発散作用を受ける。このため、第３レンズ群以降の光線高が大きくなってしまい、レンズ径の小型化が難しくなる。
【００７２】
一方、上述したように、本実施形態のレンズ構成では、第２レンズ群の最も物体側に正レンズを配置しているので、入射光線が強い発散作用を受けるのは第２レンズ群の最も像側付近となる。そのため、第３レンズ群への入射光線高が比較的小さくなり、第３レンズ群の正屈折力の配置と相まって、第４レンズ群以降のレンズ径の小型化が可能となる。
【００７３】
また、第２レンズ群は変倍作用の多くに寄与しているので、変倍に伴う収差変動が発生し易い。特に、第２レンズ群の最も物体側の正レンズは、各種収差への寄与が大きく、広角端では、非点収差・歪曲収差・倍率色収差が発生する。また、望遠端では、これらに加えて、球面収差・コマ収差・軸上色収差が大きく発生する。従って、全系での収差をバランス良く補正するためには、以下の条件式（５）、（６）を満たす事が望ましい。
【００７４】
０．９＜（ｒ1＋ｒ2）／（ｒ1−ｒ2）＜２.２      ・・・（５）
１８＜ν2p＜２８        ・・・（６）
但し、
ｒ1、ｒ2は、それぞれ第２レンズ群の最も物体側に配置された正レンズの物体側曲率半径と像側曲率半径、
ν2pは、第２レンズ群に含まれる正レンズのｄ線におけるアッベ数の平均値、
である。
【００７５】
条件式（５）の上限値を上回ると、各種収差の補正が極めて困難となる。また、条件式（６）の上値限を上回ると、倍率色収差の補正が難しくなる。条件式（６）の下値限を下回ると、実用的な硝材が無くなる。
【００７６】
なお、前述のように、第２レンズ群の最も物体側の正レンズは収差発生量が大きいため、後続する接合レンズとの間で偏心誤差が生ずると、性能低下が非常に大きくなる。そこで、該正レンズと接合レンズを合わせて、３枚接合負レンズにする。これにより、このような、組立て上の問題を改善でき、偏心誤差を低減できる。
【００７７】
また、本発明の好ましい態様によれば、第３レンズ群は、物体側から像側に順に、開口絞りと、両凸正レンズと、負メニスカスレンズと両凸正レンズの接合正レンズと、両凸正レンズ、あるいは両凸正レンズと負メニスカスレンズの接合正レンズと、からならことが望ましい。
【００７８】
望遠端側で発生する球面収差を適切に補正するためには、第３レンズ群のレンズ構成が重要である。負屈折力の第２レンズ群から発散光束として第３レンズ群に入射する光束を、徐々に収束しながら後方に導くため、第３レンズ群の最も物体側には第１正レンズ成分が必要である。
【００７９】
また、本発明の好ましい態様によれば、第３レンズ群は、物体側から像側に順に、開口絞りと、第１正レンズ成分と、第２レンズ成分と、第３レンズ成分と、からなることが望ましい。
ここで、レンズ成分とは、正規光路にて空気と接する屈折面が物体側面と像側面の２つのみのレンズを意味し、単レンズ、又は接合レンズを意味する。
【００８０】
この構成により、第１正レンズ成分を通過した光束は、後続する第２正レンズ成分、第３正レンズ成分のレンズ群によって、球面収差、コマ収差、非点収差等の補正を行いながら収束していく。
【００８１】
この時、第３レンズ群には少なくとも１面の非球面を使用する事が望ましい。特に、第１正レンズ成分を非球面とする事が有効である。これにより、球面収差を低減でき良好な結像性能の確保と大口径化の両立化に有利となる。
【００８２】
また、第１正レンズ成分と第２正レンズ成分の間には、第３レンズ群中で最も大きな間隔が空いている。第２正レンズ成分と第３正レンズ成分は接近している。
【００８３】
そして、条件式（７）、（８）、（９）、（１０）を満たす事が望ましい。
６５＜ν3p＜１００                  ・・・（７）
０．５＜ｆ3F／ｆ3R＜２．０          ・・・（８）
０．１＜ｄ（Ａ）／ｆ3＜０．５      ・・・（９）
１．４５＜ｎ3p＜１．６５            ・・・（１０）
但し、
ν3pは、第３レンズ群中に含まれる正レンズのｄ線におけるアッベ数の平均値、
ｆ3Fは、第３レンズ群中に含まれる前記第１正レンズ成分の焦点距離、
ｆ3Rは、第２正レンズ成分と前記第３正レンズ成分との合成焦点距離、
ｄ（Ａ）は、第１正レンズ成分と前記第２正レンズ成分との間の間隔、
ｆ3は、第３レンズ群の焦点距離、
ｎ3pは、第３レンズ群に含まれる正レンズのｄ線における屈折率の平均値、
である。
【００８４】
本実施形態のズームレンズは、望遠端でも開放Ｆナンバー２．８を維持している。このため、色収差の補正が非常に重要である。特に、軸上色収差は望遠になるほど、残存する収差量が大きい。この結果、高性能を確保するためには、軸上色収差の十分な補正が必須である。
【００８５】
条件式（７）は、軸上色収差を低減するため適切な範囲を規定している。条件式（７）の上値限を上回ると、実用的な硝材が無くなる。
条件式（７）の下値限を下回ると、軸上色収差の残存量が大きくなり好ましくない。
【００８６】
一方、条件式（８）の上値限を上回ると、第１正レンズ成分の収束作用が弱く、後続するレンズにおける光線高が高くなる。そして、レンズ径の増大を招き、収差補正上も好ましくない。
条件式（８）の下値限を下回ると、第１正レンズ成分の収束作用が強すぎてしまう。このため、収差補正のためにレンズ枚数を増やす等の措置が必要となって好ましくない。
【００８７】
また、条件式（９）の上値限を上回ると、収差補正上は有利になる。これに対して、レンズ全長が長くなり好ましくない。
条件式（９）の下値限を下回ると、３つの正レンズ成分が接近し過ぎ、特に、コマ収差の補正が困難となる。
【００８８】
条件式（１０）の上値限を上回ると、ペッツバール和が小さくなり過ぎ、オーバー方向に像面湾曲が生じてしまう。
条件式（１０）の下値限を下回ると、逆にペッツバール和が大きくなり過ぎ、アンダー方向に像面湾曲が生じてしまう。
【００８９】
また、本発明の好ましい態様によれば、第４レンズ群は、正レンズと両凹負レンズとの接合負レンズにて構成されており、条件式（１１）、（１２）を満たすことが望ましい。
【００９０】
１．８０＜ｎ4p＜２．００        ・・・（１１）
１５＜Δν4＜４０              ・・・（１２）
但し、
ｎ4pは、第４レンズ群に含まれる正レンズのｄ線における屈折率、
Δν4は、第４レンズ群における正レンズと負レンズのｄ線におけるアッベ数の差、
である。
【００９１】
条件式（１１）を満たす程度に、第４レンズ群に含まれる正レンズの屈折率を上げる事で、正レンズの体積を削減できる。その結果、軽量化を実現する事ができる。
条件式（１１）の上値限を上回ると、硝材の分散性や透過率あるいは加工性が悪化すので好ましくない。
条件式（１１）の下値限を下回ると、面の曲率半径が小さくなるためレンズの体積が増加し、重量も増加するので好ましくない。
【００９２】
条件式（１２）は、第４レンズ群にて色収差を十分に補正するための条件式である。第４レンズ群は、第２レンズ群の変倍に伴う像面のズレを補正する役割と、無限遠物点から近距離物点へのフォーカスの役割を担っている。特に、フォーカスに伴う望遠端での色収差の変動を良好に補正することができる。
【００９３】
条件式（１２）の上値限を上回ると、現実的には正レンズの屈折率を下げる事になるため好ましくない。
条件式（１２）の下値限を下回ると、色収差の変化が大きくなり好ましくない。
【００９４】
なお、近距離物点へのフォーカスに関して、合焦レンズ群の軽量化やフォーカスに必要な移動量を小さくしながら、無限物点から至近物点まで良好な収差補正を確保することが本実施形態の重要な課題である。
【００９５】
そのため、第４レンズ群と第５レンズ群を独立に移動する事でフォーカシングを行っている。このとき、条件式（１３）を満たすことが望ましい。
０．２＜｜ΔＧ5(W)／ΔＧ4(W)｜＜３．０      ・・・（１３）
但し、
ΔＧ4(W)は、広角端において無限遠物点から近距離物点へ合焦する時の、第４レンズ群の移動量、
ΔＧ5(W)は、広角端において無限遠物点から近距離物点へ合焦する時の、第５レンズ群の移動量、
である。
【００９６】
条件式（１３）の上限値を上回って、第５レンズ群の移動量が大きくなると、像面湾曲が悪化する。
条件式（１３）の下限値を下回って、第５レンズ群の移動量が小さくなると、収差補正の効果が弱くなるので好ましくない。
【００９７】
一方、近年の潮流として、静止画だけでなく動画撮影へのニーズが高まっており、レンズ交換式のデジタルカメラにおいても動画撮影機能に最適化された交換レンズが求められている。
【００９８】
一般に、動画撮影においては、オートフォーカス機能を常時、働かせて合焦状態を維持しておく必要がある。その方法のひとつとして、フォーカスレンズを合焦位置の前後に、常に微小量動かす（ウォブリングと言われる）方式が知られている。
【００９９】
ウォブリングを行うことによって撮像面上の像のコントラストの変化を測定し、合焦状態が変化したと判断された場合には、再度、合焦し直すように合焦レンズ群を適切に移動させる。このようなウォブリング機能によって、ズームレンズと被写体との距離が変化しても、常に合焦状態を維持し続けている。
【０１００】
しかしながら、カメラ本体のフレームレートに応じて、非常に高速な動作が必要とされる。適切な駆動制御を行うため、合焦レンズ群には軽量化や移動量の少なさ等が求められている。また、ウォブリングに伴う音の発生も、動画では音声として記録されてしまうため、静音化も重要な課題となっている。
【０１０１】
なお、通常は合焦レンズ群とウォブリングレンズ群とは同一である事が多いが、両者を別々のレンズ群として構成されることもある。
【０１０２】
このように、動画撮影に対応するレンズには、多くの課題があり、特に合焦レンズ群には、軽量化が求められている。本実施形態では、このような課題を解決する事も目的であり、前述したようなレンズ構成を用いる事によって、合焦レンズ群の小型化・軽量化を実現している。
【０１０３】
本発明に係る第６実施形態のズームレンズ装置は、上述のズームレンズと、カメラ本体にズームレンズを接続可能とするマウント部を有することを特徴とする。
【０１０４】
これにより、変倍比の確保と明るさの確保の両立に有利な小型のズームレンズを備えたズームレンズ装置を提供できる。特に、交換レンズ用途として使用でき、動画撮影にも好適な、大口径で高性能な望遠ズームレンズを有するズームレンズ装置を提供できる。
【０１０５】
上述の実施形態は、それぞれを相互に複数を同時に満足することで効果をより確実に出きる。
上述の条件式については、複数の条件式を同時に満足させることや、以下の範囲とすることでその効果をより確実にできるので好ましい。
【０１０６】
条件式（１）について
下限値を１．２、さらには１．２６とすることが好ましい。
上限値を１．７、さらには１．６とすることが好ましい。
【０１０７】
条件式（２）について
下限値を−０．０１、さらには０以上とすることが好ましい。
上限値を０．３、さらには０．２５とすることが好ましい。
【０１０８】
条件式（３）について
下限値を１．０、さらには１．５とすることが好ましい。
上限値を２．５、さらには２．２とすることが好ましい。
【０１０９】
条件式（４）について
下限値を７５、さらには８０とすることが好ましい。
上限値を９５、さらには９０とすることが好ましい。
【０１１０】
条件式（５）について
下限値を１．０、さらには１．０３とすることが好ましい。
上限値を１．９、さらには１．８５とすることが好ましい。
【０１１１】
条件式（６）について
下限値を２１、さらには２３とすることが好ましい。
上限値を２７、さらには２６．５とすることが好ましい。
【０１１２】
条件式（７）について
下限値を６８、さらには７１とすることが好ましい。
上限値を９０、さらには８０とすることが好ましい。
【０１１３】
条件式（８）について
下限値を０．８、さらには１．０とすることが好ましい。
上限値を１．７、さらには１．４とすることが好ましい。
【０１１４】
条件式（９）について
下限値を０．１５、さらには０．２とすることが好ましい。
上限値を０．４、さらには０．３とすることが好ましい。
【０１１５】
条件式（１０）について
下限値を１．５、さらには１．５３とすることが好ましい。
上限値を１．６０、さらには１．５７とすることが好ましい。
【０１１６】
条件式（１１）について
下限値を１．８５、さらには１．９とすることが好ましい。
上限値を２．９６、さらには２．９３とすることが好ましい。
【０１１７】
条件式（１２）について
下限値を２０、さらには２５とすることが好ましい。
上限値を３５、さらには３２とすることが好ましい。
【０１１８】
条件式（１３）について
下限値を０．５、さらには０．８とすることが好ましい。
上限値を２．５、さらには２．０とすることが好ましい。
【０１１９】
次に、実施例１から実施例６のズームレンズについて説明する。実施例１〜６の無限遠物点合焦時の広角端（ａ）、中間焦点距離状態（ｂ）、広角端（ｃ）でのレンズ断面図を図１〜６に示す。
【０１２０】
実施例１〜実施例６において、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、負屈折力の第５レンズ群Ｇ５と、正屈折力の第６レンズ群Ｇ６とから構成される。
【０１２１】
広角端から望遠端への変倍に際し、第２レンズ群Ｇ２は単調に像側へ移動し、第４レンズ群Ｇ４は像側へ移動した後、物体側へ移動し、第５レンズ群Ｇ５は若干移動し、第６レンズ群Ｇ６は像面に対し固定となっている。またフォーカス時、第４レンズ群Ｇ４と第５レンズ群Ｇ５を独立に移動することによって無限遠物点から近距離物点へのフォーカスを行う。
【０１２２】
明るさ絞りＳは、第３レンズ群Ｇ３の物体側直前に配置され、第３レンズ群と一体で移
動する。
【０１２３】
明るさ絞りＳの開口の最大径は、広角端から望遠端にかけて大きくなり、無限遠合焦状
態にて焦点距離によらずＦナンバーがほぼ一定値（２．８８）となるように構成されている。
【０１２４】
ズームレンズの像側には、フィルター類や撮像素子のカバーガラスを光学的に等価な部
材としてあらわした平行平板Ｃと、撮像素子の撮像面Ｉが位置している。
【０１２５】
図１は実施例１のズームレンズの光軸に沿った断面図である。
第１レンズ群Ｇ１は、物体側に凸面を向けた負メニスカスレンズＬ１と両凸正レンズＬ２の接合レンズと、物体側に凸面を向けた正メニスカスレンズＬ３の３枚にて構成される。
【０１２６】
第２レンズ群Ｇ２は、像側に凸面を向けた正メニスカスレンズＬ４と、両凹負レンズＬ５と物体側に凸面を向けた正メニスカスレンズＬ６の接合レンズと、像側に凸面を向けた負メニスカスレンズＬ７の４枚にて構成される。
【０１２７】
第３レンズ群Ｇ３は、絞りＳと、両面非球面の両凸正レンズＬ８と、物体側に凸面を向けた負メニスカスレンズＬ９と両凸正レンズＬ１０の接合レンズと、両凸正レンズＬ１１と負レンズＬ１２の接合レンズの５枚にて構成される。
【０１２８】
第４レンズ群Ｇ４は、平凸正レンズＬ１３と像側面が非球面の両凹負レンズＬ１４の接合レンズの２枚にて構成される。
【０１２９】
第５レンズ群Ｇ５は、両凹負レンズＬ１５の１枚にて構成される。
【０１３０】
第６レンズ群Ｇ６は、物体側面が非球面の両凸正レンズＬ１６と凹平負レンズＬ１７の接合レンズの２枚にて構成される。
【０１３１】
広角端から望遠端への変倍における各レンズ群の移動を説明する。
第１レンズ群Ｇ１と第３レンズ群Ｇ３と第６レンズ群Ｇ６は、像面に対し固定されている。
第２レンズ群Ｇ２は、単調に像側へ移動する。
第４レンズ群Ｇ４は、像側に凸な軌跡を描いて移動する。
第５レンズ群Ｇ５は若干移動する。
【０１３２】
近距離物点へのフォーカスにおいて、第４レンズ群Ｇ４は単調に像側へ移動する。第５レンズ群Ｇ５は、広角端においては、単調に像側へ移動し、望遠端においては、物体側へ凸な軌跡を描いて移動する。
【０１３３】
図２は、実施例２のズームレンズの光軸に沿った断面図である。
第１レンズ群Ｇ１は、物体側に凸面を向けた負メニスカスレンズＬ１と両凸正レンズＬ２の接合レンズと、物体側に凸面を向けた正メニスカスレンズＬ３の３枚にて構成される。
【０１３４】
第２レンズ群Ｇ２は、像側に凸面を向けた正メニスカスレンズＬ４と、両凹負レンズＬ５と物体側に凸面を向けた正メニスカスレンズＬ６の接合レンズと、両凹負レンズＬ７の４枚にて構成される。
【０１３５】
第３レンズ群Ｇ３は、絞りＳと、両面非球面の両凸正レンズＬ８と、物体側に凸面を向けた負メニスカスレンズＬ９と両凸正レンズＬ１０の接合レンズと、両面非球面の両凸正レンズＬ１１の４枚にて構成される。
【０１３６】
第４レンズ群Ｇ４は、両凸正レンズＬ１２と像側面が非球面の両凹負レンズＬ１３の接合レンズの２枚にて構成される。
【０１３７】
第５レンズ群Ｇ５は、両凹負レンズＬ１４の１枚にて構成される。
【０１３８】
第６レンズ群Ｇ６は、両凸正レンズＬ１５と、物体側に凸面を向けた負メニスカスレンズＬ１５と物体側に凸面を向けた正メニスカスレンズＬ１７の接合レンズの３枚にて構成される。
【０１３９】
広角端から望遠端への変倍における、各レンズ群の移動を説明する。
第１レンズ群Ｇ１と第３レンズ群Ｇ３と第６レンズ群Ｇ６は像面に対し固定されている。
第２レンズ群Ｇ２は単調に像側へ移動する。
第４レンズ群Ｇ４は、像側に凸な軌跡を描いて移動する。
第５レンズ群Ｇ５は若干移動する。
【０１４０】
近距離物点へのフォーカスにおいて、第４レンズ群Ｇ４は単調に像側へ移動する。第５レンズ群Ｇ５は、広角端においては、単調に像側へ移動し、望遠端においては、物体側へ凸な軌跡を描いて移動する。
【０１４１】
図３は、実施例３のズームレンズの光軸に沿った断面図である。
第１レンズ群Ｇ１は、物体側に凸面を向けた負メニスカスレンズＬ１と両凸正レンズＬ２の接合レンズと、物体側に凸面を向けた正メニスカスレンズＬ３の３枚にて構成される。
【０１４２】
第２レンズ群Ｇ２は、像側に凸面を向けた正メニスカスレンズＬ４と両凹負レンズＬ５と物体側に凸面を向けた正メニスカスレンズＬ６の３枚接合レンズと、両凹負レンズＬ７の４枚にて構成される。
【０１４３】
第３レンズ群Ｇ３は、絞りＳと、両面非球面の両凸正レンズＬ８と、物体側に凸面を向けた正メニスカスレンズＬ９と両凸正レンズＬ１０の接合レンズと、両凸正レンズＬ１１と像側に凸面を向けた負メニスカスレンズＬ１２の接合レンズの５枚にて構成される。
【０１４４】
第４レンズ群Ｇ４は、平凸正レンズＬ１３と像側面が非球面の両凹負レンズＬ１４の接合レンズの２枚にて構成される。
【０１４５】
第５レンズ群Ｇ５は、両凹負レンズＬ１５の１枚にて構成される。
【０１４６】
第６レンズ群Ｇ６は、物体側面が非球面の両凸正レンズＬ１６と両凹負レンズＬ１７の接合レンズの２枚にて構成される。
【０１４７】
広角端から望遠端への変倍における、各レンズ群の移動を説明する。
第１レンズ群Ｇ１と第３レンズ群Ｇ３と第６レンズ群Ｇ６は像面に対し固定されている。
第２レンズ群Ｇ２は単調に像側へ移動する。
第４レンズ群Ｇ４は像側に凸な軌跡を描いて移動する。
第５レンズ群は若干移動する。
【０１４８】
近距離物点へのフォーカスにおいて、第４レンズ群Ｇ４は単調に像側へ移動する。第５レンズ群Ｇ５は、広角端においては、単調に像側へ移動し、望遠端においては、物体側へ凸な軌跡を描いて移動する。
【０１４９】
図４は、実施例４のズームレンズの光軸に沿った断面図である。
第１レンズ群Ｇ１は、物体側に凸面を向けた負メニスカスレンズＬ１と両凸正レンズＬ２の接合レンズと、物体側に凸面を向けた正メニスカスレンズＬ３の３枚にて構成される。
【０１５０】
第２レンズ群Ｇ２は、物体側に凸面を向けた正メニスカスレンズＬ４と両凹負レンズＬ５と物体側に凸面を向けた正メニスカスレンズＬ６の３枚接合レンズと、両凹負レンズＬ７の４枚にて構成される。
【０１５１】
第３レンズ群Ｇ３は、絞りＳと、両面非球面の両凸正レンズＬ７と、物体側に凸面を向けた負メニスカスレンズＬ９と両凸正レンズＬ１０の接合レンズと、両凸正レンズＬ１１の４枚にて構成される。
【０１５２】
第４レンズ群Ｇ４は、両凸正レンズＬ１２と像側面が非球面の両凹負レンズＬ１３の接合レンズの２枚にて構成される。
【０１５３】
第５レンズ群Ｇ５は、両凹負レンズＬ１４の１枚にて構成される。
【０１５４】
第６レンズ群Ｇ６は、物体側面が非球面の両凸正レンズＬ１５と凹平負レンズＬ１６の接合レンズの２枚にて構成される。
【０１５５】
広角端から望遠端への変倍における、各レンズ群の移動を説明する。
第１レンズ群Ｇ１と第３レンズ群Ｇ３と第６レンズ群Ｇ６は像面に対し固定されている。
第２レンズ群Ｇ２は単調に像側へ移動する。
第４レンズ群Ｇ４は像側に凸な軌跡を描いて移動する。
第５レンズ群Ｇ５は若干移動する。
【０１５６】
近距離物点へのフォーカスにおいて、第４レンズ群Ｇ４は単調に像側へ移動する。第５レンズ群Ｇ５は、広角端においては、単調に像側へ移動し、望遠端においては、物体側へ凸な軌跡を描いて移動する。
【０１５７】
図５は、実施例５のズームレンズの光軸に沿った断面図である。
第１レンズ群Ｇ１は、物体側に凸面を向けた負メニスカスレンズＬ１と両凸正レンズＬ２の接合レンズと、物体側に凸面を向けた正メニスカスレンズＬ３の３枚にて構成される。
【０１５８】
第２レンズ群Ｇ２は、像側に凸面を向けた正メニスカスレンズＬ４と両凹負レンズＬ５と物体側に凸面を向けた正メニスカスレンズＬ６の３枚接合レンズと、両凹負レンズＬ７の４枚にて構成される。
【０１５９】
第３レンズ群Ｇ３は、絞りＳと、両面非球面の両凸正レンズＬ８と、物体側に凸面を向けた負メニスカスレンズＬ９と両凸正レンズＬ１０の接合レンズと、両凸正レンズＬ１１との４枚にて構成される。
【０１６０】
第４レンズ群Ｇ４は、両凸正レンズＬ１２と像側面が非球面の両凹負レンズＬ１３の接合レンズの２枚にて構成される。
【０１６１】
第５レンズ群Ｇ５は、両凹負レンズＬ１４の１枚にて構成される。
【０１６２】
第６レンズ群Ｇ６は、物体側面が非球面の両凸正レンズＬ１５と凹平負レンズＬ１６の接合レンズの２枚にて構成される。
【０１６３】
広角端から望遠端への変倍における、各レンズ群の移動を説明する。
第１レンズ群Ｇ１と第６レンズ群Ｇ６は像面に対し固定されている。
第２レンズ群Ｇ２は単調に像側へ移動する。
第３レンズ群Ｇ３は像側に凸な軌跡を描いて移動する。
第４レンズ群Ｇ４は像側に凸な軌跡を描いて移動する。
第５レンズ群Ｇ５は若干移動する。
【０１６４】
近距離物点へのフォーカスにおいて、第４レンズ群Ｇ４は単調に像側へ移動する。第５レンズ群Ｇ５は、広角端においては、単調に像側へ移動し、望遠端においては、物体側へ凸な軌跡を描いて移動する。
【０１６５】
図６は、実施例６のズームレンズの光軸に沿った断面図である。
第１レンズ群Ｇ１は、物体側に凸面を向けた負メニスカスレンズＬ１と両凸正レンズＬ２の接合レンズと、凸平正レンズＬ３の３枚にて構成される。
【０１６６】
第２レンズ群Ｇ２は、像側に凸面を向けた正メニスカスレンズＬ４と両凹負レンズＬ５と物体側に凸面を向けた正メニスカスレンズＬ６の３枚接合レンズと、凹平負レンズＬ７との４枚にて構成される。
【０１６７】
第３レンズ群Ｇ３は、絞りＳと、両面非球面の両凸正レンズＬ８と、物体側に凸面を向けた負メニスカスレンズＬ９と両凸正レンズＬ１０の接合レンズと、両凸正レンズＬ１１の４枚にて構成される。
【０１６８】
第４レンズ群Ｇ４は、両凸正レンズＬ１２と像側面が非球面の両凹負レンズＬ１３の接合レンズの２枚にて構成される。
【０１６９】
第５レンズ群Ｇ５は、両凹負レンズＬ１４の１枚にて構成される。
【０１７０】
第６レンズ群Ｇ６は、物体側面が非球面の両凸正レンズＬ１５と凹平負レンズＬ１６の接合レンズの２枚にて構成される。
【０１７１】
広角端から望遠端への変倍における、各レンズ群の移動を説明する。
第１レンズ群Ｇ１は単調に物体側へ移動する。
第２レンズ群Ｇ２は単調に像側へ移動する。
第３レンズ群Ｇ３は像側に凸な軌跡を描いて移動する。
第４レンズ群Ｇ４は像側に凸な軌跡を描いて移動する。
第５レンズ群Ｇ５は若干移動する。
第６レンズ群Ｇ６は像面に対し固定されている。
【０１７２】
近距離物点へのフォーカスにおいて、第４レンズ群Ｇ４は単調に像側へ移動する。第５レンズ群Ｇ５は、広角端においては、単調に像側へ移動し、望遠端においては、物体側へ凸な軌跡を描いて移動する。
【０１７３】
本実施形態のように、第１レンズ群Ｇ１と第６レンズ群Ｇ６を像面に対し固定とすれば、鏡枠構造を簡素化することが可能となる。また、変倍時の重心変化も少なく安定した保持が可能となる。
【０１７４】
さらに、変倍時やフォーカス時に発生する音を、固定の第６レンズ群Ｇ６にて外部へ漏れる事を防ぐ効果もある。
加えて、第３レンズ群Ｇ３も像面に対し固定とすれば、鏡枠構造を一層の簡素化が可能で、鏡枠の組立て易さも大幅に改善する事ができる。
【０１７５】
以下に、上記各実施例の数値データを示す。記号は上記の外、ｆは全系焦点距離、ＢＦはバックフォーカス、ｆ１、ｆ２…は各レンズ群の焦点距離、ＩＨは像高、ＦNOはＦナンバー、ωは半画角、「中間」は中間焦点距離状態、ｒは各レンズ面の曲率半径、ｄは各レンズ面間の間隔、ｎｄは各レンズのｄ線の屈折率、νｄは各レンズのアッベ数である。後述するレンズ全長は、レンズ最前面からレンズ最終面までの距離にバックフォーカスを加えたものである。ＢＦ（バックフォーカス）は、レンズ最終面から近軸像面までの距離を空気換算して表したものである。
【０１７６】
なお、非球面形状は、ｘを光の進行方向を正とした光軸とし、ｙを光軸と直交する方向にとると、下記の式にて表される。
【０１７７】
z＝（ｙ2 ／ｒ）／［１＋｛１−（ｋ＋１）（ｙ／ｒ）2 ｝1/2 ］
＋Ａ4 ｙ4 ＋Ａ6 ｙ6 ＋Ａ8 ｙ8 ＋Ａ10ｙ10＋Ａ12ｙ12
ただし、ｒは近軸曲率半径、ｋは円錐係数、Ａ4 、Ａ6 、Ａ8 、Ａ10、Ａ12 それぞれ４次、６次、８次、１０次、１２次の非球面係数である。また、非球面係数において、「Ｅ−ｎ」（ｎは整数）は、「１０−ｎ」を示している。
【０１７８】
数値実施例１
単位  ｍｍ
面データ
面番号     r            d             nd           νd
1      132.3375       2.600        1.75520        27.51
2       82.5673       7.840        1.49700        81.61
3     -416.6091       0.150
4       90.7260       5.490        1.43875        94.93
5      505.9141       可変
6     -508.8493       3.090        1.84666        23.78
7      -91.3157       0.150
8     -494.7262       1.600        1.49700        81.61
9       30.3801       2.570        1.84666        23.78
10       34.4288       5.760
11      -37.0156       1.500        1.80400        46.57
12    -1277.2503       可変
13(絞り)   ∞          1.700
14*      37.4087       5.490        1.49700        81.61
15*     -95.1515       5.790
16       62.6888       1.500        1.76182        26.52
17       33.5342       7.080        1.49700        81.61
18      -35.3755       0.150
19      170.5876       3.080        1.59282        68.63
20      -69.1970       1.300        1.64769        33.79
21     -143.0040       可変
22         ∞          1.740        1.92286        18.90
23      -79.8304       1.000        1.74320        49.29
24*      20.8000       可変
25     -220.9532       1.200        1.59270        35.31
26       31.1472       可変
27*      31.3625       9.590        1.80610        40.88
28      -24.0000       1.500        1.64769        33.79
29         ∞         22.8000
30         ∞          4.000        1.51633        64.14
31         ∞          0.800
像面       ∞
非球面データ
第14面   
k=0  
A4=-2.0856E-06,A6=7.5646E-09,A8=8.5023E-11,A10=-3.0217E-13
第15面  
k=0 
A4=1.4855E-05,A6=9.4303E-09,A8=1.0450E-10,A10=-3.4344E-13
第24面   
k=-0.6116 
A4=3.8316E-06,A6=9.5787E-09,A8=-2.1039E-11,A10=0.0000E+00
第27面    
k=-0.0172 
A4=-3.6348E-06,A6=-4.7277E-09,A8=1.3666E-12,A10=0.0000E+00
各種データ（無限遠物点合焦時）
広角端          中間           望遠端
f 焦点距離      40.81          77.27          147.00
Fno              2.88           2.88            2.88
画角（２ω）    30.29°        15.85°          8.30°
IH 像高         10.82
BF              26.24          26.24            26.24   (空気中)
全長           176.90         176.90           176.90   (空気中)
群間隔（無限遠物点合焦時）
広角端          中間           望遠端
d5                 2.37405        30.19289        54.03064
d12               53.60336        25.78456         1.94673
d21                2.66000         4.51221         3.35411
d24               17.40204        14.96669        16.40901
d26                2.75105         3.33413         3.05003
群間隔（物像間距離が０．７ｍ）
広角端          中間           望遠端
d5                 2.37405        30.19289        54.03064
d12               53.60336        25.78456         1.94673
d21                3.27485         6.82688        12.09392
d24               17.34683        13.39102         7.01069
d26                2.18626         2.59514         3.70860
変倍比  3.60
各群焦点距離
ｆ１  143.56
ｆ２  -41.46
ｆ３   26.90
ｆ４  -31.58
ｆ５  -33.65
ｆ６   28.68
【０１７９】
数値実施例２
単位  ｍｍ
面データ
面番号     r            d             nd           νd
1      153.9342       2.600        1.75520        27.51
2       89.4468       8.140        1.53775        74.69
3     -452.3801       0.150
4      105.1859       5.380        1.43875        94.93
5      537.9832       可変
6    -4251.3406       3.430        1.84666        23.78
7     -100.3661       0.150
8     -241.8921       1.600        1.48749        70.23
9       31.6758       2.740        1.84666        23.78
10       37.2900       5.720
11      -43.0873       1.500        1.83481        42.71
12     1933.9919       可変
13(絞り)   ∞          1.500
14*      30.8214       6.050        1.49700        81.54
15*     -84.2156       4.980
16       74.7979       1.500        1.80000        29.84
17       26.8987       6.790        1.53775        74.69
18      -48.7068       0.150
19*    1439.8277       2.960        1.58313        59.38
20*     -57.5670       可変
21      388.4895       1.720        1.92286        18.90
22     -105.4464       1.100        1.74320        49.29
23*      20.6986       可変
24      -65.1400       1.200        1.61293        37.00
25       30.3910       可変
26       39.2635       3.250        1.83481        42.71
27     -368.4753       0.150
28       59.0291       1.600        1.78472        25.68
29       42.3668       2.760        1.83481        42.71
30      300.0000      24.7617
31         ∞          4.000        1.51633        64.14
32         ∞          0.800
像面       ∞
非球面データ
第14面
k=0 
A4=-1.2015E-06,A6=1.3512E-08,A8=5.8359E-12,A10=0.0000E+00
第15面
k=0 
A4=2.0862E-05,A6=2.9914E-09,A8=1.7848E-11,A10=0.0000E+00
第19面
k=0 
A4=7.8102E-06,A6=-3.7124E-08,A8=-2.8476E-11,A10=0.0000E+00
第20面
k=0 
A4=4.2836E-06,A6=-3.2041E-08,A8=-1.2079E-11,A10=0.0000E+00
第23面
k=-0.7549
A4=6.2561E-06,A6=5.7318E-09,A8=0.0000E+00,A10=0.0000E+00
各種データ（無限遠物点合焦時）
広角端          中間           望遠端
f 焦点距離      40.81          77.27          147.00
Fno              2.87           2.88            2.88
画角（２ω）    30.38°        15.83°          8.29°
IH 像高         10.82
BF              28.20          28.20           28.20   (空気中)
全長           176.88         176.88          176.88   (空気中)
群間隔（無限遠物点合焦時）
広角端          中間           望遠端
d5                 2.00000        32.85155        59.48055
d12               59.26660        28.41505         1.78605
d20                2.50000         4.17182         3.17256
d23               14.80290        12.98376        14.13682
d25                2.99285         3.14018         2.98640
群間隔（物像間距離が０．７ｍ）
広角端          中間           望遠端
d5                 2.00000        32.85155        59.48055
d12               59.26660        28.41505         1.78605
d20                3.03444         6.37380        11.67490
d23               15.16935        11.76028         6.00000
d25                2.09200         2.16169         2.62095
変倍比  3.60
各群焦点距離
ｆ１  126.99
ｆ２  -37.01
ｆ３   27.75
ｆ４  -30.37
ｆ５  -42.30
ｆ６   29.87
【０１８０】
数値実施例３
単位  ｍｍ
面データ
面番号     r            d             nd           νd
1      134.6640       2.600        1.75520        27.51
2       82.0435       7.960        1.49700        81.61
3     -333.5590       0.150
4       95.3759       5.420        1.43875        94.93
5      729.5905       可変
6     -286.6882       3.650        1.84666        23.78
7      -57.0915       1.600        1.49700        81.61
8       33.0091       2.710        1.80000        29.84
9       41.9887       4.690
10      -48.8343       1.500        1.83400        37.16
11      254.9157       可変
12(絞り)   ∞          1.700
13*      37.0537       5.610        1.49700        81.61
14*     -95.8319       6.210
15       54.3079       1.500        1.78470        26.29
16       29.1473       7.070        1.49700        81.61
17      -38.8564       0.150
18      172.9014       2.970        1.59282        68.63
19      -94.3770       1.300        1.64769        33.79
20     -153.0318       可変
21         ∞          2.150        1.92286        18.90
22      -70.3479       1.000        1.74320        49.29
23*      20.9142       可変
24     -180.0000       1.000        1.59270        35.31
25       29.1856       可変
26*      29.2737       9.340        1.80610        40.88
27      -21.1546       1.300        1.64769        33.79
28     1113.5701      24.7578
29         ∞          4.000        1.51633        64.14
30         ∞          0.800
像面       ∞
非球面データ
第13面
k=0 
A4=-2.8598E-06,A6=-3.7238E-09,A8=9.4799E-11,A10=-4.0541E-13
第14面
k=0
A4=1.2064E-05,A6=-3.1110E-09,A8=1.0016E-10,A10=-4.2262E-13
第23面
k=-0.6101
A4=3.5215E-06,A6=1.5005E-08,A8=-2.5606E-11,A10=0.0000E+00
第26面
k=-0.6856
A4=-1.7892E-06,A6=-3.4231E-09,A8=-1.2749E-12,A10=0.0000E+00
各種データ（無限遠物点合焦時）
広角端          中間           望遠端
f 焦点距離      40.80          77.27          147.00
Fno              2.87           2.88            2.89
画角（２ω）    30.81°        15.95°          8.30°
IH 像高         10.82
BF              28.20          28.20           28.20   (空気中)
全長           176.90         176.90          176.90   (空気中)
群間隔（無限遠物点合焦時）
広角端          中間           望遠端
d5                 2.43384        29.86322        53.34817
d11               52.93963        25.51030         2.02524
d20                2.50000         4.34373         2.92989
d23               16.65500        14.47684        16.47460
d25                2.59450         2.92887         2.34509
群間隔（物像間距離が０．７ｍ）
広角端          中間           望遠端
d5                 2.43384        29.86322        53.34817
d11               52.93963        25.51030         2.02524
d20                3.14983         6.79377        11.96113
d23               16.59950        12.63624         6.59674
d25                2.00000         2.31944         3.19176
変倍比  3.60
各群焦点距離
ｆ１  129.62
ｆ２  -36.71
ｆ３   28.08
ｆ４  -32.30
ｆ５  -42.93
ｆ６   32.04
【０１８１】
数値実施例４
単位  ｍｍ
面データ
面番号     r            d             nd           νd
1      137.0268       2.600        1.78470        26.29
2       86.6508       7.760        1.49700        81.61
3     -321.6069       0.150
4       96.8154       5.260        1.43875        94.93
5      624.2467       可変
6     -227.2066       3.370        1.80810        22.76
7      -59.4074       1.600        1.48749        70.23
8       30.8341       2.750        1.80000        29.84
9       39.2048       4.990
10      -49.6375       1.500        1.83481        42.73
11      458.1191       可変
12(絞り)   ∞          1.800
13*      39.4392       5.760        1.49700        81.61
14*     -87.6954       7.980
15       70.3121       1.500        1.84666        23.78
16       32.8253       6.580        1.59282        68.63
17      -51.5148       0.150
18      129.4168       3.100        1.49700        81.61
19      -94.0670       可変
20      789.7458       2.000        1.92286        18.90
21      -86.5458       1.000        1.74320        49.29
22*      21.6608       可変
23     -356.0768       1.000        1.62004        36.26
24       28.8000       可変
25*      31.6086       9.580        1.80610        40.88
26      -24.0000       1.300        1.64769        33.79
27         ∞         26.0632
28         ∞          4.000        1.51633        64.14
29         ∞          0.800
像面       ∞
非球面データ
第13面
k=0 
A4=-3.1251E-06,A6=-3.8756E-10,A8=5.5927E-11,A10=-1.4099E-13
第14面
k=0
A4=1.0047E-05,A6=-3.0390E-10,A8=5.4533E-11,A10=-1.3296E-13
第22面
k=-0.0326
A4=-2.5854E-06,A6=2.4119E-09,A8=-7.1028E-11,A10=1.4991E-13
第25面
k=-0.7171
A4=7.9298E-07,A6=-2.8322E-09,A8=2.5344E-12,A10=0.0000E+00
各種データ（無限遠物点合焦時）
広角端          中間           望遠端
f 焦点距離      40.81          77.27          147.00
Fno              2.88           2.88            2.88
画角（２ω）    30.86°        15.95°          8.30°
IH 像高         10.82
BF              29.50          29.50           29.50   (空気中)
全長           179.90         179.90          179.90   (空気中)
群間隔（無限遠物点合焦時）
広角端          中間           望遠端
d5                 2.56328        30.41889        53.87892
d11               53.22784        25.37230         1.91217
d19                2.50000         4.62391         3.89046
d22               17.30858        14.85531        16.19460
d24                3.06837         3.39767         2.79195
群間隔（物像間距離が０．７ｍ）
広角端          中間           望遠端
d5                 2.56328        30.41889        53.87892
d11               53.22784        25.37230         1.91217
d19                3.12034         6.98082        12.71907
d22               17.25696        13.14454         6.51353
d24                2.50000         2.75153         3.64447
変倍比  3.60
各群焦点距離
ｆ１  126.30
ｆ２  -35.94
ｆ３   28.37
ｆ４  -33.59
ｆ５  -42.91
ｆ６   32.12
【０１８２】
数値実施例５
単位  ｍｍ
面データ
面番号     r            d             nd           νd
1      134.9486       2.600        1.78470        26.29
2       85.7108       7.710        1.49700        81.61
3     -378.5479       0.150
4       97.2254       5.570        1.43875        94.93
5     1550.7095       可変
6     -193.9455       3.340        1.80810        22.76
7      -56.1806       1.600        1.48749        70.23
8       30.9727       2.720        1.80000        29.84
9       39.6063       4.620
10      -49.0198       1.500        1.83481        42.73
11      412.1838       可変
12(絞り)   ∞          1.500
13*      36.8396       5.930        1.49700        81.61
14*     -99.6733       7.260
15       71.6875       1.500        1.84666        23.78
16       32.9642       6.890        1.59282        68.63
17      -48.6098       0.150
18      160.2791       3.340        1.49700        81.61
19     -108.2042       可変
20      612.6728       2.000        1.92286        18.90
21      -91.2779       1.000        1.74320        49.29
22*      22.2784       可変
23     -767.1005       1.000        1.62004        36.26
24       27.5755       可変
25*      31.2366       7.690        1.80610        40.88
26      -26.4752       1.300        1.64769        33.79
27         ∞         26.8405
28         ∞          4.000        1.51633        64.14
29         ∞          0.800
像面       ∞
非球面データ
第13面
k=0
A4=-1.4143E-06,A6=7.9218E-09,A8=3.1335E-11,A10=1.1407E-13
第14面
k=0
A4=1.2359E-05,A6=9.5589E-09,A8=2.5501E-11,A10=1.6154E-13
第22面
k=-0.1354
A4=-8.5033E-07,A6=1.0132E-09,A8=6.9260E-12,A10=-3.4094E-13
第25面
k=-0.7380
A4=2.2116E-06,A6=-2.0812E-09,A8=4.2918E-12,A10=0.0000E+00
各種データ（無限遠物点合焦時）
広角端          中間           望遠端
f 焦点距離      40.80          77.27          147.00
Fno              2.88           2.88            2.88
画角（２ω）    30.88°        15.89°          8.30°
IH 像高         10.82
BF              30.28          30.28           30.28   (空気中)
全長           176.90         176.90          176.90   (空気中)
群間隔（無限遠物点合焦時）
広角端          中間           望遠端
d5                 2.49430        30.59582        51.19639
d11               52.44395        25.52830         2.00000
d19                2.50417         4.76227         4.18222
d22               17.07154        13.51727        17.35716
d24                2.73663         2.84689         2.51489
群間隔（物像間距離が０．７ｍ）
広角端          中間           望遠端
d5                 2.49430        30.59582        51.19639
d11               52.44395        25.52830         2.00000
d19                3.15409         7.31419        13.38222
d22               17.01686        11.58656         7.46822
d24                2.14131         2.22568         3.20387
変倍比  3.60
各群焦点距離
ｆ１  126.30
ｆ２  -35.94
ｆ３   28.37
ｆ４  -33.59
ｆ５  -42.91
ｆ６   32.12
【０１８３】
数値実施例６
単位  ｍｍ
面データ
面番号     r            d             nd           νd
1      149.7532       2.600        1.78470        26.29
2       92.0959       7.130        1.49700        81.61
3     -543.5955       0.150
4      116.3793       5.260        1.49700        81.61
5         ∞          可変
6     -198.3662       3.270        1.80810        22.76
7      -55.3083       1.600        1.48749        70.23
8       32.8388       2.530        1.80000        29.84
9       40.4495       4.510
10      -46.4774       1.500        1.83481        42.73
11         ∞          可変
12(絞り)   ∞          1.500
13*      39.7338       5.950        1.49700        81.61
14*     -88.2841       8.360
15       70.0524       1.500        1.84666        23.78
16       32.5908       6.830        1.59282        68.63
17      -54.5203       0.150
18      116.4107       3.410        1.49700        81.61
19      -95.2276       可変
20     1154.3052       2.080        1.92286        18.90
21      -81.1301       1.000        1.74320        49.29
22*      22.0464       可変
23     -540.5144       1.000        1.62004        36.26
24       28.0696       可変
25*      31.5339      11.060        1.80610        40.88
26      -21.8578       1.300        1.64769        33.79
27         ∞         25.4228
28         ∞          4.000        1.51633        64.14
29         ∞          0.800
像面       ∞
非球面データ
第13面
k=0 
A4=-1.5171E-06,A6=1.1539E-08,A8=-3.1786E-12,A10=1.9839E-13
第14面
k=0 
A4=1.0771E-05,A6=1.2721E-08,A8=-1.3493E-11,A10=2.5624E-13
第22面
k=-0.1328
A4=-1.1938E-06,A6=4.5239E-09,A8=-4.0899E-11,A10=6.4284E-14
第25面
k=-0.8952
A4=1.4130E-06,A6=-1.2210E-09,A8=-3.8678E-12,A10=0.0000E+00
各種データ（無限遠物点合焦時）
広角端          中間           望遠端
f 焦点距離      40.80          77.27          147.00
Fno              2.88           2.88            2.88
画角（２ω）    30.91°        15.90°          8.30°
IH 像高         10.82
BF              28.86          28.86           28.86   (空気中)
全長           176.90         181.89          186.90   (空気中)
群間隔（無限遠物点合焦時）
広角端          中間           望遠端
d5                 2.34098        34.50748        58.12650
d11               50.26307        23.99478         2.00000
d19                2.66816         4.95293         4.50967
d22               17.34047        14.07832        18.29205
d24                2.73571         2.81059         2.42016
群間隔（物像間距離が０．７ｍ）
広角端          中間           望遠端
d5                 2.34098        34.50748        58.12650
d11               50.26307        23.99478         2.00000
d19                3.31869         7.48727        13.30976
d22               17.28499        12.01200         8.68587
d24                2.14118         2.34258         3.22628
変倍比  3.60
各群焦点距離
ｆ１  138.31
ｆ２  -37.48
ｆ３   28.54
ｆ４  -32.67
ｆ５  -43.01
ｆ６   31.57
【０１８４】
以下に条件式対応値を示す。
実施例１  実施例２  実施例３  実施例４  実施例５  実施例６
ΔG4(W)     0.615     0.534     0.650     0.620     0.650     0.651 
ΔG5(W)     2.315     2.202     2.450     2.357     2.552     2.534 
ΔG4(S)     8.740     8.502     9.031     8.829     9.200     8.800 
ΔG5(S)     0.565     0.901     0.595     0.568     0.595     0.595 
ΔG4(T)     0.739     0.978     0.609     0.646     0.621     0.468 
ΔG5(T)    -0.659     0.365    -0.847    -0.853    -0.689    -0.806 
注1）無限遠物点から物像間距離が０．７ｍへのフォーカス移動量である。             注2）正符号(＋)数値が像側への移動を示す。                
【０１８５】
以上の実施例１〜６の収差図をそれぞれ図７〜図１８に示す。図７、９、１１、１３，１５、１７は、無限遠物点合焦時の収差図である。図８、１０、１２、１４、１６、１８は、物像間距離が０．７ｍの収差図である。これらの収差図において、（ａ）、（ｂ）、（ｃ）、（ｄ）は広角端、（ｅ）、（ｆ）、（ｇ）、（ｈ）は中間焦点距離状態、（ｉ）、（ｊ）、（ｋ）、（ｌ）は望遠端における球面収差（ＳＡ）、非点収差（ＡＳ）、歪曲収差（ＤＴ）、倍率色収差（ＣＣ）を示す。各図中、“ＦＩＹ”は最大像高を示す。“ω”は半画角を示す。
【０１８６】
また、以下に条件式対応値を示す。
条件式                 実施例１  実施例２  実施例３ 
(1)  |f2|/f3                1.371     1.541     1.334   
(2)  ΔG1/ΔG2              0.000     0.000     0.000   
(3)  ΔG2/f3                1.905     2.137     1.835    
(4)  ν1p                  88.27     84.81     88.27  
(5)  (r1+r2)/(r1-r2)        1.437     1.048     1.497   
(6)  ν2p                  23.78     23.78     26.81   
(7)  ν3p                  77.28     71.87     77.28   
(8)  f3F/f3R                1.353     1.020     1.290  
(9)  d(A)/f3                0.214     0.185     0.224   
(10) n3p                    1.545     1.560     1.545   
(11) n4p                    1.92286   1.92286   1.92286  
(12) Δν4                 30.39     30.39     30.39    
(13) |ΔG5(W)/ΔG4(W)|      0.919     1.686     0.915   
条件式                 実施例４  実施例５  実施例６
(1)  |f2|/f3                1.308     1.267     1.313
(2)  ΔG1/ΔG2              0.000     0.000     0.218
(3)  ΔG2/f3                1.828     1.716     1.604
(4)  ν1p                  88.27     88.27     81.61
(5)  (r1+r2)/(r1-r2)        1.708     1.816     1.773
(6)  ν2p                  26.30     26.30     26.30
(7)  ν3p                  77.28     77.28     77.28
(8)  f3F/f3R                1.345     1.280     1.339
(9)  d(A)/f3                0.284     0.256     0.293
(10) n3p                    1.545     1.545     1.545
(11) n4p                    1.92286   1.92286   1.92286
(12) Δν4                 30.39     30.39     30.39
(13) |ΔG5(W)/ΔG4(W)|      0.916     0.916     0.914
【０１８７】
図１９は、電子撮像装置としての一眼ミラーレスカメラの断面図である。図１９において、１は一眼ミラーレスカメラ、２は鏡筒内に配置された撮影レンズ系、３は撮影レンズ系２を一眼ミラーレスカメラ１に着脱可能、即ち接続可能とする鏡筒のマウント部である。マウント部３としては、スクリュータイプのマウントやバヨネットタイプのマウント等が用いられる。この例では、バヨネットタイプのマウントを用いている。また、４は撮像素子面、５はバックモニタである。なお、撮像素子としては、小型のＣＣＤ又はＣＭＯＳ等が用いられている。
【０１８８】
そして、一眼ミラーレスカメラ１の撮影レンズ系２として、例えば上記実施例１〜６に示した本発明のズームレンズが用いられる。
【０１８９】
図２０、図２１は、本発明に係る撮像装置の構成の概念図を示す。図２０は撮像装置としてのデジタルカメラ４０の外観を示す前方斜視図、図２１は同後方斜視図である。このデジタルカメラ４０の撮影光学系４１に、本発明のインナーフォーカスレンズ系が用いられている。
【０１９０】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のインナーフォーカスレンズ系を通して撮影が行われる。撮影光学系４１によって形成された物体像が、結像面近傍に設けられた撮像素子（光電変換面）上に形成される。  この撮像素子で受光された物体像は、処理手段によって電子画像としてカメラ背面に設けられた液晶表示モニター４７に表示される。また、撮影された電子画像は記録手段に記録することができる。
【０１９１】
図２２は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０１９２】
図２２に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１９３】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０１９４】
操作部１２は、各種の入力ボタンやスイッチを備え、これらを介して外部（カメラ使用者）から入力されるイベント情報を制御部に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０１９５】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０１９６】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０１９７】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０１９８】
記憶媒体部１９は、例えばフラッシュメモリ等からなるカード型、又はスティック型の記録媒体を着脱自在に装着して、これらのフラッシュメモリに、一時記憶メモリ１７から転送されるＲＡＷデータや画像処理部１８で画像処理された画像データを記録して保持する。
【０１９９】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０２００】
このように構成されたデジタルカメラ４０は、撮影光学系４１として本発明のインナーフォーカスレンズ系を採用することで、広画角、小型でありながら、画質を劣化させずに高解像の画像を得るのに有利な撮像装置とすることが可能となる。
【産業上の利用可能性】
【０２０１】
以上のように、本発明によれば、交換レンズ用途として使用でき、動画撮影にも好適な、大口径で高性能な望遠ズームレンズ及びそれを有するズームレンズ装置に適している。
【符号の説明】
【０２０２】
Ｇ１…第１レンズ群
Ｇ２…第２レンズ群
Ｇ３…第３レンズ群
Ｇ４…第４レンズ群
Ｇ５…第５レンズ群
Ｇ６…第６レンズ群
Ｓ…開口絞り
Ｃ…平行平板
Ｉ…像面
１…一眼ミラーレスカメラ
２…撮影レンズ系
３…鏡筒のマウント部
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
４９…ＣＣＤ
【図１】
2015118127.tif 000003
【図２】
2015118127.tif 000004
【図３】
2015118127.tif 000005
【図４】
2015118127.tif 000006
【図５】
2015118127.tif 000007
【図６】
2015118127.tif 000008
【図７】
2015118127.tif 000009
【図８】
2015118127.tif 000010
【図９】
2015118127.tif 000011
【図１０】
2015118127.tif 000012
【図１１】
2015118127.tif 000013
【図１２】
2015118127.tif 000014
【図１３】
2015118127.tif 000015
【図１４】
2015118127.tif 000016
【図１５】
2015118127.tif 000017
【図１６】
2015118127.tif 000018
【図１７】
2015118127.tif 000019
【図１８】
2015118127.tif 000020
【図１９】
2015118127.tif 000021
【図２０】
2015118127.tif 000022
【図２１】
2015118127.tif 000023
【図２２】
2015118127.tif 000024